(57)【要約】    【課題】  牽引方向にほぼ直交する方向に牽引整地器を２以上並列し、牽引方向の変化にかかわらず各牽引整地器が並列状態を維持する。    【解決手段】  牽引側基体１０後方に枠状要素１４を千鳥状に配し、枠状要素１４の挿通孔１４ｂにワイヤロープ１６を挿通して引張状態で架設する。各牽引整地器Ａの左右両端部における前後隣接枠状要素１４間に、ワイヤロープ１６に外挿したスペーサ１８を挟圧する。第１連結片Ｊ１の上向切欠部Ｊ１ｅ及び第２連結片Ｊ２の下向切欠部Ｊ２ｅを、それぞれ左牽引整地器Ａの右端部のスペーサ１８及び右牽引整地器Ａの左端部の相対するスペーサ１８に上方及び下方から嵌合させ、両者の貫通孔Ｊ１ｄとＪ２ｄでボルト締結して連結器Ｊとする。連結器Ｊは、水平面載置時に下方側端縁部が水平面に接し、左右両牽引整地器Ａを連結する。【選択図】      図２
2005188230.tif 000002
【特許請求の範囲】
【請求項１】
二次元的に連結された多数の枠状要素を備えてなり、水平面に載置した状態において、前記各枠状要素の一方の側の端縁部が実質上前記水平面に接する牽引整地器が、牽引方向にほぼ直交する方向に２以上並列してなる並列牽引整地器であって、
牽引整地器のうち隣接する牽引整地器に相対する部分における枠状要素同士の間に、前記牽引方向の水平状棒状部を備えると共に、
水平方向に凹の溝形状をなし、溝底部の下辺から上方に向かう一対の上向切欠部を有する第１連結片と、水平方向に凹の溝形状をなし、溝底部の上辺から下方に向かう一対の下向切欠部を有する第２連結片を備え、
前記第１連結片における前記一対の上向切欠部が、それぞれ前記隣接牽引整地器の一方及び他方における相対する部分の各水平状棒状部に下方から嵌合し、前記第２連結片における前記一対の下向切欠部が、それぞれ前記隣接牽引整地器の一方及び他方における相対する部分の各水平状棒状部に上方から嵌合し、それらの第１連結片と第２連結片が、両者の溝口部同士が向かい合うように両者の水平方向両端部同士において結合されることにより、それらの第１連結片と第２連結片が、水平面に載置した状態において一方の側の端縁部が実質上前記水平面に接する枠状要素の１つとしての連結枠状要素を構成すると共に、前記隣接牽引整地器が連結されていることを特徴とする並列牽引整地器。
【請求項２】
上記上向切欠部及び下向切欠部が、それぞれ上記隣接牽引整地器の何れかの側へ上向き及び下向きに傾斜する請求項１記載の並列牽引整地器。
【請求項３】
第１連結片と第２連結片が同一物である請求項１又は２記載の並列牽引整地器。
【請求項４】
二次元的に連結された多数の枠状要素を備えてなり、水平面に載置した状態において、前記各枠状要素の一方の側の端縁部が実質上前記水平面に接する牽引整地器を、牽引方向にほぼ直交する方向に２以上並列してなる並列牽引整地器であって、前記牽引整地器のうち隣接する牽引整地器に相対する部分における枠状要素同士の間に、前記牽引方向の水平状棒状部を備えるものの各牽引整地器を連結するための連結器であって、
水平方向に凹の溝形状をなし、溝底部の下辺から上方に向かう一対の上向切欠部を有する第１連結片と、水平方向に凹の溝形状をなし、溝底部の上辺から下方に向かう一対の下向切欠部を有する第２連結片からなり、
前記第１連結片における前記一対の上向切欠部を、それぞれ前記隣接牽引整地器の一方及び他方における相対する部分の各水平状棒状部に下方から嵌合させ、前記第２連結片における前記一対の下向切欠部を、それぞれ前記隣接牽引整地器の一方及び他方における相対する部分の各水平状棒状部に上方から嵌合させ、それらの第１連結片と第２連結片を、両者の溝口部同士が向かい合うように両者の水平方向両端部同士において結合させることにより、それらの第１連結片と第２連結片が、牽引整地器を水平面に載置した状態において一方の側の端縁部が実質上前記水平面に接する枠状要素の１つとしての連結枠状要素を構成すると共に、前記隣接牽引整地器を連結させることができるものであることを特徴とする連結器。
【請求項５】
上記上向切欠部及び下向切欠部が、それぞれ上記隣接牽引整地器の何れかの側へ上向き及び下向きに傾斜するものである請求項４記載の連結器。
【請求項６】
第１連結片と第２連結片が同一物である請求項５記載の連結器。
【発明の詳細な説明】
【技術分野】
【０００１】
本発明は、運動場等の整地対象地面上に載置して牽引することにより整地を行うための並列牽引整地器及び牽引整地器の並列連結用の連結器に関する。
【背景技術】
【０００２】
図５に示すように、二次元的に連結された多数の枠状要素Ｆを備えてなり、水平面に載置した状態において、前記各枠状要素Ｆの一方の側の端縁部が実質上前記水平面に接する牽引整地器［ヤマザキ総合カタログNo.113（２０００年山崎産業株式会社発行）第１３８頁（非特許文献１）］を、運動場等の整地対象地面上に載置して自動車や人力等により牽引すると、各枠状要素Ｆによって地面の凸部が削られ、削られた土砂等が凹部に配分されることにより整地が行われる。
【０００３】
この場合に、広面積を効率良く整地するために、２つの牽引整地器Ｂを牽引方向にほぼ直交する方向に並列させて牽引角パイプＰに連結して牽引使用すると、前方（牽引角パイプＰに垂直な方向における牽引角パイプＰ側の向き）へ直進牽引する場合はほぼ並列状態を保つが、整地対象地面の端で旋回する際のように曲がりながら牽引する場合は、内側で曲がる牽引整地器Ｂの後方部が外側で曲がる牽引整地器Ｂの後方部に乗り上げて重なってしまい、これを元のように並列状態にもどさなければ、その後の牽引整地を行うことができなくなることがあった。
【非特許文献１】ヤマザキ総合カタログNo.113（２０００年山崎産業株式会社発行）第１３８頁
【発明の開示】
【発明が解決しようとする課題】
【０００４】
本発明は、従来技術に存した上記のような課題に鑑み行われたものであって、その目的とするところは、牽引方向にほぼ直交する方向に牽引整地器を２以上並列してなり、牽引方向の変化にかかわらず各牽引整地器が並列状態を維持し得る並列牽引整地器及びその牽引整地器を並列連結する連結器を提供することにある。
【課題を解決するための手段】
【０００５】
(1)  上記目的を達成する本発明の並列牽引整地器は、
二次元的に連結された多数の枠状要素を備えてなり、水平面に載置した状態において、前記各枠状要素の一方の側の端縁部が実質上前記水平面に接する牽引整地器が、牽引方向にほぼ直交する方向に２以上並列してなる並列牽引整地器であって、
牽引整地器のうち隣接する牽引整地器に相対する部分における枠状要素同士の間に、前記牽引方向の水平状棒状部を備えると共に、
水平方向に凹の溝形状をなし、溝底部の下辺から上方に向かう一対の上向切欠部を有する第１連結片と、水平方向に凹の溝形状をなし、溝底部の上辺から下方に向かう一対の下向切欠部を有する第２連結片を備え、
前記第１連結片における前記一対の上向切欠部が、それぞれ前記隣接牽引整地器の一方及び他方における相対する部分の各水平状棒状部に下方から嵌合し、前記第２連結片における前記一対の下向切欠部が、それぞれ前記隣接牽引整地器の一方及び他方における相対する部分の各水平状棒状部に上方から嵌合し、それらの第１連結片と第２連結片が、両者の溝口部同士が向かい合うように両者の水平方向両端部同士において結合されることにより、それらの第１連結片と第２連結片が、水平面に載置した状態において一方の側の端縁部が実質上前記水平面に接する枠状要素の１つとしての連結枠状要素を構成すると共に、前記隣接牽引整地器が連結されていることを特徴とする。
【０００６】
また本発明の連結器は、
二次元的に連結された多数の枠状要素を備えてなり、水平面に載置した状態において、前記各枠状要素の一方の側の端縁部が実質上前記水平面に接する牽引整地器を、牽引方向にほぼ直交する方向に２以上並列してなる並列牽引整地器であって、前記牽引整地器のうち隣接する牽引整地器に相対する部分における枠状要素同士の間に、前記牽引方向の水平状棒状部を備えるものの各牽引整地器を連結するための連結器であって、
水平方向に凹の溝形状をなし、溝底部の下辺から上方に向かう一対の上向切欠部を有する第１連結片と、水平方向に凹の溝形状をなし、溝底部の上辺から下方に向かう一対の下向切欠部を有する第２連結片からなり、
前記第１連結片における前記一対の上向切欠部を、それぞれ前記隣接牽引整地器の一方及び他方における相対する部分の各水平状棒状部に下方から嵌合させ、前記第２連結片における前記一対の下向切欠部を、それぞれ前記隣接牽引整地器の一方及び他方における相対する部分の各水平状棒状部に上方から嵌合させ、それらの第１連結片と第２連結片を、両者の溝口部同士が向かい合うように両者の水平方向両端部同士において結合させることにより、それらの第１連結片と第２連結片が、牽引整地器を水平面に載置した状態において一方の側の端縁部が実質上前記水平面に接する枠状要素の１つとしての連結枠状要素を構成すると共に、前記隣接牽引整地器を連結させることができるものであることを特徴とする。
【０００７】
この並列牽引整地器を運動場等の整地対象地面上に載置して牽引すると、各枠状要素によって地面の凸部が削られ、削られた土砂等が凹部に配分されることにより整地が行われる。
【０００８】
水平方向に凹の溝形状をなし、溝底部の下辺から上方に向かう一対の上向切欠部を有する第１連結片における前記一対の上向切欠部を、それぞれ隣接牽引整地器の一方及び他方における相対する部分の各水平状棒状部に上方から嵌合させ、その第１連結片と溝口部同士が向かい合うように、水平方向に凹の溝形状をなし、溝底部の上辺から下方に向かう一対の下向切欠部を有する第２連結片における前記一対の下向切欠部を、それぞれ隣接牽引整地器の一方及び他方における相対する部分の各水平状棒状部に下方から嵌合させ、それらの第１連結片と第２連結片の水平方向両端部同士を結合することにより、隣接牽引整地器同士を所定の水平方向位置関係で連結することができる。そのため、曲がりながら牽引した際に内側で曲がる牽引整地器と外側で曲がる牽引整地器の一部（例えば後方部）が重なることを防いで円滑に牽引整地を行うことができる。
【０００９】
第１連結片は上向切欠部が水平状棒状部に嵌合しているのでその水平状棒状部から下方へ脱落し得ず、第２連結片は下向切欠部が水平状棒状部に嵌合しているのでその水平状棒状部から上方へ脱落し得ないので、並列牽引整地器を運動場等の整地対象地面上に載置して牽引使用した際に、第１連結片と第２連結片が結合した連結枠状要素が脱落することが防がれる。
【００１０】
而も、第１連結片と第２連結片からなる枠状要素が、水平面に載置した状態において下方側の端縁部が実質上その水平面に接する枠状要素の１つとしての連結枠状要素を構成するので、隣接牽引整地器同士の間に土砂等が残留したり整地されない跡が残ったりするようなことが防がれる。
【００１１】
(2)  上記並列牽引整地器は、上記上向切欠部及び下向切欠部が、それぞれ上記隣接牽引整地器の何れかの側へ上向き及び下向きに傾斜するものとすることができる。
【００１２】
また連結器は、上記上向切欠部及び下向切欠部が、それぞれ上記隣接牽引整地器の何れかの側へ上向き及び下向きに傾斜するものとすることができる。
【００１３】
この場合、第１連結片と第２連結片が結合した連結枠状要素が、水平両端方向の軸線を中心として、第１連結片の側が上向きに、第２連結片の側が下向きに回動すると、第１連結片の上向切欠部及び第２連結片の下向切欠部が、それぞれ嵌合している水平状棒状部から離脱し得る向きに回動することとなるが、上向切欠部及び下向切欠部はそれぞれ上記隣接牽引整地器の何れかの側へ上向き及び下向きに傾斜しているため、回動のみならず隣接牽引整地器の何れかの側への水平方向移動が生じなければ水平状棒状部から離脱し得ないので、並列牽引整地器を運動場等の整地対象地面上に載置して牽引使用した際に、第１連結片と第２連結片が結合した連結枠状要素が脱落することが防がれる。
【００１４】
(3)  この並列牽引整地器は、第１連結片と第２連結片が同一物であるものとすることができる。またこの連結器は、第１連結片と第２連結片が同一物であるものとすることができる。
【００１５】
この場合、各連結片の製造コストを下げること及び隣接する牽引整地器を連結する作業をより容易なものとすることができる。
【発明の効果】
【００１６】
本発明の牽引整地器によれば、牽引方向にほぼ直交する方向に２以上並列した各牽引整地器が、牽引方向の変化にかかわらず連結枠状要素によって並列状態を維持し得、その連結枠状要素を構成する第１連結片と第２連結片は、隣接牽引整地器の一方及び他方における相対する部分の各水平状棒状部にそれぞれ上向切欠部及び下向切欠部を嵌合させて両連結片を結合することにより脱落を防ぎつつ容易に取り付けることができる。而も、連結枠状要素は、水平面に載置した状態において下方側の端縁部が実質上その水平面に接する枠状要素の１つを構成するので、隣接牽引整地器同士の間に土砂等が残留したり整地されない跡が残ったりするようなことが防がれる。
【発明を実施するための最良の形態】
【００１７】
本発明の実施の形態を、図面を参照しつつ説明する。
【００１８】
図面は何れも本発明の並列牽引整地器及びその牽引整地器を並列連結する連結器の実施の形態についてのものであって、図１は並列牽引整地器の平面図、図２は並列牽引整地器の拡大平面図、図３は枠状要素の拡大斜視図、図４は連結器の拡大斜視図である。
【００１９】
この並列牽引整地器Ｗは、左右２つの牽引整地器Ａが並列連結されてなるものである。
【００２０】
各牽引整地器Ａは、丸パイプからなる牽引側基体１０、枠状要素１４、枠状要素連結用のワイヤロープ１６（枠状要素支持体）、及び筒状のスペーサ１８からなる。
【００２１】
枠状要素１４は、一対の溝形片１４ａからなる。すなわち、枠状要素１４は、水平方向に凹の扁平な溝形状をなし、溝底部１４ａ１の両端に外方傾斜状の立上部１４ａ２を有し、両立上部１４ａ２の端部に、外方に張り出した張出部１４ａ３をそれぞれ備えた一対の溝形片１４ａを、両者の溝口部同士が向かい合うように両者の対応する張出部１４ａ３同士において溶接してなる。枠状要素１４における枠は水平断面形状が扁平六角形状をなし、各溝形片１４ａにおける溝底部１４ａ１の両端近傍部にそれぞれ挿通孔１４ｂが形成されている。なお、枠状要素１４はこの形状に限るものではない。
【００２２】
左右各牽引整地器Ａにおける牽引側基体１０（剛性基体）の後方に、多数の枠状要素１４が、長手方向が左右方向、短手方向が牽引方向である前後方向となるようにして、千鳥状に満遍なく配置されている。前後の枠状要素１４は、左端部の前後面と右端部の前後面が当接する状態で、左端部の挿通孔１４ｂと右端部の挿通孔１４ｂが前後に揃うように配され、それらの前後方向直線上に揃った挿通孔１４ｂにワイヤロープ１６が挿通している。なお、枠状要素１４の配置は、千鳥状に限るものではなく、その他の二次元的連結配置、すなわち一定平面内において二以上の方向に連結する配置とすることができる。また、ワイヤロープ１６等の枠状要素支持体としての条体は、複数並列架設するものに限るものではなく、縦横等の二以上の方向に架設されるものであってもよい。
【００２３】
各ワイヤロープ１６は、牽引側基体１０の前側面から牽引側基体１０に設けられた貫通孔（図示せず）を挿通し、各枠状要素１４の挿通孔１４ｂを直線状に挿通し、後端の枠状要素１４の後側面において折り返し、更に、各枠状要素１４の挿通孔１４ｂ、及び牽引側基体１０の貫通孔を挿通してＵ字状をなしている。各ワイヤロープ１６は引張状態で架設され、その両端部は牽引側基体１０の前側面において抜止部１６ａに構成されている。
【００２４】
各牽引整地器Ａにおける左右両端部においては、前後に隣接する枠状要素１４同士の間に、それぞれワイヤロープ１６に外挿されたスペーサ１８（水平状棒状部）が配装され、前端部の枠状要素と牽引側基体１０の間にもワイヤロープ１６に外挿されたスペーサ１８が配装されている。スペーサ１８は、枠状要素１４同士の間並びに枠状要素１４と牽引側基体１０の間で挟圧されている。
【００２５】
左右両牽引整地器Ａを並列連結する連結器Ｊは、第１連結片Ｊ１と第２連結片Ｊ２を備えてなる。第１連結片Ｊ１は、水平方向に凹の扁平な溝形状をなし、溝底部Ｊ１ａの両端に外方傾斜状の立上部Ｊ１ｂを有し、両立上部Ｊ１ｂの端部に、外方に張り出した張出部Ｊ１ｃをそれぞれ備え、各張出部Ｊ１ｃに貫通孔Ｊ１ｄを有し、溝底部Ｊ１ａの下辺から左斜め上方に向かう一対の上向切欠部Ｊ１ｅを有する。第２連結片Ｊ２は、水平方向に凹の扁平な溝形状をなし、同様に両立上部Ｊ２ｂ、両張出部Ｊ２ｃ及び両貫通孔Ｊ２ｄを備えると共に溝底部Ｊ２ａの上辺から左斜め下方に向かう一対の下向切欠部Ｊ２ｅを有する。
【００２６】
第１連結片Ｊ１における一対の上向切欠部Ｊ１ｅは、それぞれ左牽引整地器Ａの右端部のスペーサ１８及び右牽引整地器Ａの左端部の相対するスペーサ１８に上方から嵌合し、第２連結片Ｊ２における一対の下向切欠部Ｊ２ｅは、それぞれ左牽引整地器Ａの右端部のスペーサ１８及び右牽引整地器Ａの左端部の相対するスペーサ１８に下方から嵌合している。これらの第１連結片Ｊ１と第２連結片Ｊ２は、両者の溝口部同士が向かい合うようにして、両者の水平方向両端部の張出部Ｊ１ｃと張出部Ｊ２ｃにおいて、貫通孔Ｊ１ｄと貫通孔Ｊ２ｄに挿通されたボルトとナット（図示せず）により締結されている。このようにして、左右両牽引整地器Ａを容易に連結して並列牽引整地器Ｗを形成することができ、第１連結片Ｊ１と第２連結片Ｊ２は、水平面に載置した状態において下方側の端縁部が実質上前記水平面に接する枠状要素の１つとしての連結器Ｊ（連結枠状要素）を構成する。
【００２７】
この並列牽引整地器Ｗを水平面に載置した状態においては、多数の各枠状要素１４の下方端縁部及び複数の連結器Ｊ並びに牽引側基体１０が実質上前記水平面に接し、スペーサ１８は水平面から上方に離隔している。
【００２８】
この並列牽引整地器Ｗは、牽引側基体１０の前側に連結シャックル２２が設けられ、牽引シャックル２４に前端が結合される牽引チェーン２６の後端に結合シャックル２３を介して結合される牽引角パイプ２８に連結され、車両等により牽引される。
【００２９】
この並列牽引整地器Ｗを運動場等の整地対象地面上に載置してほぼ牽引側基体１０に対し垂直方向前方に牽引すると、各枠状要素１４によって地面の凸部が削られ、削られた土砂等が凹部に配分されることにより整地が行われる。主たる牽引方向である前後方向において、隣接する枠状要素１４の左端部と右端部が重なり合っているので、枠状要素１４が存在する範囲（牽引整地器Ａの左端部と右端部の間）において何れかの枠状要素１４が整地対象面上を通過して漏れなく整地を行うことができる。また、何れの水平方向直線上にも、何れかの枠状要素１４が位置しているので、この牽引整地器Ａを牽引して旋回する場合等、前後方向以外の方向に牽引される場合にも、何れかの枠状要素１４が整地対象面上を通過して漏れなく整地を行うことができる。また、連結器Ｊにより左右各牽引整地器Ａが所定の水平方向位置関係で連結されるため、曲がりながら牽引した際に内側で曲がる牽引整地器Ａと外側で曲がる牽引整地器Ａの一部（例えば後方部）が重なることを防いで円滑に牽引整地を行うことができる。
【００３０】
第１連結片Ｊ１は上向切欠部Ｊ１ｅが上方からスペーサ１８に嵌合しているのでそのスペーサ１８から下方へ脱落し得ず、第２連結片Ｊ２は下向切欠部Ｊ２ｅが下方からスペーサ１８に嵌合しているのでそのスペーサ１８から上方へ脱落し得ないので、並列牽引整地器Ｗを運動場等の整地対象地面上に載置して牽引使用した際に、第１連結片Ｊ１と第２連結片Ｊ２が結合した連結器Ｊが脱落することが防がれる。而も、上向切欠部Ｊ１ｅは左斜め上方に向かい、下向切欠部Ｊ２ｅは左斜め下方に向かうので、第１連結片Ｊ１及び第２連結片Ｊ２は、それぞれ上方移動及び下方移動のみではなく、水平方向にも移動しなければスペーサ１８から脱落し得ない。そのため、牽引整地の際の連結器Ｊの脱落がより確実に防がれる。この例では、第１連結片Ｊ１と第２連結片Ｊ２は同一物であるため、各連結片の製造コストを下げること及び左右牽引整地器Ａを連結する作業をより容易なものとすることができる。なお、第１連結片Ｊ１及び第２連結片Ｊ２における上向切欠部Ｊ１ｅ及び下向切欠部Ｊ２ｅの傾斜方向が逆向き（例えば上向切欠部は左斜め上向きで下向切欠部は右斜め下向き）の場合、一方の連結片の離脱に必要な水平方向移動と他方の連結片の離脱に必要な水平方向移動が逆向きになるのでより好ましい。
【００３１】
また、左右牽引整地器Ａの間で両者をを連結する複数の連結器Ｊの下方側の端縁部が、並列牽引整地器Ｗを水平面に載置した状態において実質上その水平面に接する枠状要素の１つとしての連結枠状要素を構成するので、左右牽引整地器Ａの間に土砂等が残留したり整地されない跡が残ったりするようなことが防がれる。
【図面の簡単な説明】
【００３２】
【図１】牽引整地器の平面図である。
【図２】牽引整地器の拡大平面図である。
【図３】枠状要素の拡大斜視図である。
【図４】連結器の拡大斜視図である。
【図５】従来の牽引整地器の平面図である。
【符号の説明】
【００３３】
１０      牽引側基体
１４      枠状要素
１４ａ    溝形片
１４ａ１  溝底部
１４ａ２  立上部
１４ａ３  張出部
１４ｂ    挿通孔
１６      ワイヤロープ
１６ａ    抜止部
１８      スペーサ
２２      連結シャックル
２３      結合シャックル
２４      牽引シャックル
２６      牽引チェーン
２８      牽引角パイプ
Ａ        牽引整地器
Ｊ        連結器
Ｊ１      第１連結片
Ｊ１ａ    溝底部
Ｊ１ｂ    立上部
Ｊ１ｃ    張出部
Ｊ１ｄ    貫通孔
Ｊ１ｅ    上向切欠部
Ｊ２      第２連結片
Ｊ２ａ    溝底部
Ｊ２ｂ    両立上部
Ｊ２ｃ    張出部
Ｊ２ｄ    貫通孔
Ｊ２ｅ    下向切欠部
Ｗ        並列牽引整地器
【図１】
2005188230.tif 000003
【図２】
2005188230.tif 000004
【図３】
2005188230.tif 000005
【図４】
2005188230.tif 000006
【図５】
2005188230.tif 000007